(57)【要約】      （修正有）【課題】建物の躯体となる柱に穿孔等の施工をする事なく容易に取付けられる柱巻き用ディスプレイハンガーを提供する。【解決手段】クッション材３を巻き付け両端を螺刻したＵボルト１とスライドナットを入れ込んだガイドレール４を上下に締結したベース金具２とディスプレイＡの背面に取付けるディスプレイ取付け金具５と掛止金具６からなり、建物の柱サイズに合わせた該Ｕボルト１で柱の上部と下部の２カ所を挟み込み、該ベース金具２を固定し、ディスプレイＡの背面に固定したディスプレイ取付け金具５と掛止金具６を連結し該ベース金具２へ引掛け固定させる構造。【選択図】図１
0003223111.tif 000002
【実用新案登録請求の範囲】
【請求項１】
クッション材を巻き付け両端を螺刻したＵボルトで柱の上部と下部の２カ所を挟み込み、スライドナットを入れ込んだガイドレールを上下に締結したベース金具と固定し、掛止金具をディスプレイの背面に固定したディスプレイ取付け金具と連結し、該ベース金具へ引掛けて付設固定させる事を構造とする柱巻き用ディスプレイハンガー。
【考案の詳細な説明】
【技術分野】
【０００１】  本考案は、建物の躯体である柱に取付けるディスプレイハンガーに関するものである。
【背景技術】
【０００２】  近年、街中の店舗や公共施設、交通機関等などで通行人や利用客へディスプレイなどの映像表示装置に広告や案内などを表示するデジタルサイネージが採用されており、これらを建物等に取付け設置する場合、壁面に取付けたベース金具にディスプレイの背面に固定した掛止状の金具で付設させる方法が用いられている。【０００３】  例えば非特許文献１では壁面に取付けた左右のアングル状の取付け金具にベース板を挟持し、ディスプレイの背面に掛止と傾斜を兼ね備えた金具を取付けしベース金具に付設固定させる形態が提案されている。
【先行技術文献】
【非特許文献】
【０００４】
【非特許文献１】「オーロラ総合カタログＶｏｌ．４８」株式会社共栄商事、２０１８年７月、Ｐ．３８
【０００５】  しかしながら上記形態のハンガーでは、一般的に平面な壁面に対しては問題なく取付けできるが、円柱のような丸みがかった躯体に対しては対応できない。さらに、建物によっては柱の躯体に対してコンクリートアンカーや穿孔等の工事を行う事ができない場合もある。【０００６】  又、上記先行技術文献には提示していないが、電柱に対して使用可能なスチールバンドが販売されているが、それを利用して重量物である大型のディスプレイを取付けるのは美観的に好ましくなく、尚且つ安全性の確保においても不向きである。【０００７】
【考案の概要】
【考案が解決しようとする課題】
【０００８】  そこで本考案は、上記内容を鑑み円柱のような丸みがかった躯体に対して穿孔等の工事を行わずに容易に取付け可能な柱巻き用ディスプレイハンガーを提供する事である。
【課題を解決するための手段】
【０００９】  本考案は、クッション材を巻き両端を螺刻したＵボルトとスライドナットを入れ込んだガイドレールを上下に締結したベース金具とディスプレイの背面に取付けるディスプレイ取付け金具と掛止金具からなり、円柱のサイズに合わせたＵボルトで円柱の上部と下部の２カ所を挟み込み、Ｕボルトの両端にベース金具を固定し、ディスプレイの背面に取付けたディスプレイ取付け金具を掛止金具に連結しベース金具へ掛止固定させる事を構造とした柱巻き用ディスプレイハンガーである。
【考案の効果】
【００１０】  本考案の効果として柱に対してＵボルトで挟持する為、躯体に穿孔して負荷をかける事もなく取付ける事ができるので施工が簡単である。又、ベース金具の上下にスライドナットを入れ込んだガイドレールを締結している為、ディスプレイを掛止した後でも左右の可動調整を簡単に行う事ができ、便利である。
【図面の簡単な説明】
【００１１】
【図１】本考案の柱巻き用ディスプレイハンガーを円柱に取付けした場合の側面図である。
【図２】本考案の柱巻き用ディスプレイハンガーを円柱に取付けした場合の平面図である。
【図３】本考案の柱巻き用ディスプレイハンガーのディスプレイの掛止構造を示した図である。
【図４】本考案の柱巻き用ディスプレイハンガーを角柱に取付けた場合の参考平面図である。
【００１２】  本考案の実施例を図に基づいて説明する。図１は本考案の柱巻き用ディスプレイハンガーを円柱Ｂに取付けした場合の側面図であり、クッション材３を巻き付け両端を螺刻したＵボルト１で円柱Ｂの上部と下部の２カ所を挟み込み、スライドナット７を入れ込んだガイドレール４を上下に締結したベース金具２と固定し、掛止金具６をディスプレイＡの背面に固定したディスプレイ取付け金具５へ連結し、該ベース金具２へ引掛けて付設固定させた形態を示している。【００１３】  このことにより円柱Ｂに対してＵボルト１で挟持する為、躯体へ穿孔して負荷をかける事もなく簡単に取付ける事が可能で、さらにクッション材３をＵボルト１に巻き付けている為、円柱Ｂに傷等を付ける事がなく見栄えも良い。又ベース金具２の上下にスライドナット７を入れ込んだガイドレール４を締結している為、掛止金具６をディスプレイＡの背面に固定したディスプレイ取付け金具５へ連結し、該ベース金具２へ引掛けて付設固定させてもガイドレール４に入れ込んだスライドナット７で自在に左右可動ができる為、調整が簡単で便利である。【００１４】  図２は、本考案の柱巻き用ディスプレイハンガーを円柱Ｂに取付けした場合の平面図であり、躯体の円柱Ｂはある程度定められたサイズの直径となっている為、円柱Ｂを挟持するＵボルト１も円柱Ｂの直径に合わせた規格サイズを使用する事ができ、価格的にも安価に抑える事ができる。【００１５】  図３は本考案の柱巻き用ディスプレイハンガーのディスプレイＡの掛止構造を示した図であり、ベース金具２は上下側面にツバ部分を設けた箱状の板金で、底面にはＵボルト１との取付け用貫通穴を施し、上下側面にはガイドレール４に入れ込んだスライドナット７との接続用貫通穴を施す。又、円柱Ｂとの接触面にはシート状のクッション材を貼り付ける。これにより、円柱Ｂを挟持したＵボルト１とベース金具を接続固定させる事ができ、ガイドレール４との締結が可能となる。さらに、シート状のクッション材を貼り付ける事によって柱への傷防止となる。【００１６】  ガイドレール４は、上下面にスライドナット７を入れ込む為の溝加工を施したアルミのリブ構造材を用いる。アルミのリブ構造材を用いる事により強度が確保され美観をよくなる。さらに、溝加工内にスライドナット７を入れ込む事により、ディスプレイＡを掛止した後でも自在に左右の可動調整が可能となり便利である。【００１７】掛止金具６はコの字型のチャンネルで、上部先端部分に引掛け状の加工を施し、下部底面側にはベース金具２下部に締結したガイドレール４内部のスライドナット７との接続用に内側へナット熔接を施す事により、Ｌ型金具８を用いて掛止金具６とベース金具２を固定する事ができる。又、下部底辺先端から両側面上方斜めに切り欠いた形状とし、両側面内側にはディスプレイ取付け金具５との接続用熔接ナットを施す。これによりディスプレイＡに固定したディスプレイ取付け金具５と該掛止金具６とを連結させ柱に取付けたベース金具２へ付設させる事ができる。【００１８】  ディスプレイ取付け金具５は上部を三角板で補強した不等辺のＬアングル状の形状で、ディスプレイＡとの取付け面にはＶＥＳＡ規格の寸法で固定用貫通穴を設け、側面側の上部及び下部には切り欠きを施し、掛止金具６との接続固定用穴を施す。この時の接続固定用穴の一つを円弧状の長穴９とする事によって、ディスプレイを床から高い位置に取付けた場合、傾斜をかけ見やすい角度に調整をする事ができ、便利である。【００１９】  図４は、本考案の柱巻き用ディスプレイハンガーを角柱Ｃに取付けた場合の参考平面図であり、角柱Ｃに対してクッション材３を巻き付け両端を螺刻したコの字型ボルト１０で、角柱Ｃの上部と下部の２カ所を挟み込み、スライドナット７を入れ込んだガイドレール４を上下に締結したベース金具２と固定し、掛止金具６をディスプレイＡの背面に固定したディスプレイ取付け金具５と連結し、該ベース金具２へ引掛けて付設固定させた形態を示しており、前記円柱Ｂ同様、躯体へ穿孔して負荷をかける事もなく簡単に取付ける事が可能で、さらにクッション材３をコの字型ボルト９に巻き付けている為、角柱Ｃに傷等を付ける事がなく見栄えも良い。
【産業上の利用可能性】
【００２０】  本考案のボルトを使用して躯体の柱を挟持する構造を用いれば、ディスプレイハンガーだけでなくスピーカーや装飾用造作など、柱を加工することなく取付けができ、様々な場所で利用する事ができる。
【符号の説明】
【００２１】１．  Ｕボルト
２．  ベース金具
３．  クッション材
４．  ガイドレール
５．  ディスプレイ取付け金具
６．  掛止金具
７．  スライドナット
８．  Ｌ型金具
９．  長穴
１０．コの字型ボルト
Ａ．  ディスプレイ
Ｂ．  円柱
Ｃ．  角柱
【図１】
0003223111.tif 000003
【図２】
0003223111.tif 000004
【図３】
0003223111.tif 000005
【図４】
0003223111.tif 000006